(57)【要約】【課題】長期間の使用によっても、またこれを身に付けた状態で入浴等をした場合であっても機能が損なわれることのないアジャスター及びそれを用いたチェーン状装身具を提供すること。【解決手段】両端を自由端としたチェーン（２）と、該チェーン（２）の一端が連結されるとともに他端が貫通したアジャスター（３）とを有して、前記アジャスター（３）は、チェーン（２）の一端が連結される連結部（４０２）を有するとともに前記チェーン（２）の他端が移動自在に貫通する一対の貫通孔（４０１）を有するフレーム（４）と、該フレーム（４）内に配設された、コイル状のバネ材（６）の両端を連結することでチェーン貫通孔（５０１）が形成された略リング状の係止部（５）と、を備え、前記係止部（５）の内周側によって、前記フレーム（４）を貫通したチェーン（２）を付勢可能とした。【選択図】図２
2006325647.tif 000002
【特許請求の範囲】
【請求項１】
チェーン状装身具に用いるアジャスターであって、
チェーン（２）の一端が連結される連結部（４０３）を有するとともに前記チェーン（２）の他端が移動自在に貫通する一対の貫通孔（４０１）を有するフレーム（４）と、
該フレーム（４）内に配設された、コイル状のバネ材（６）の両端を連結することでチェーン貫通孔（５０１）が形成された略リング状の係止部（５）と、を備え、
前記係止部（５）の内周側によって、前記フレーム（４）を貫通したチェーン（２）を付勢可能としたことを特徴とするチェーン状装身具に用いるアジャスター。
【請求項２】
前記バネ材（６）が金属製であることを特徴とする請求項１に記載のチェーン状装身具に用いるアジャスター。
【請求項３】
前記バネ材（６）が炭素繊維製であることを特徴とする請求項１に記載のチェーン状装身具に用いるアジャスター。
【請求項４】
前記バネ材（６）が合成樹脂製であることを特徴とする請求項１に記載のチェーン状装身具に用いるアジャスター。
【請求項５】
前記バネ材（６）は、長手方向に向いた形状が略円形状であることを特徴とする請求項１乃至請求項４に記載のチェーン状装身具に用いるアジャスター。
【請求項６】
前記バネ材（６）は、長手方向に向いた形状が扁平な楕円形状であることを特徴とする請求項１乃至請求項４に記載のチェーン状装身具に用いるアジャスター。
【請求項７】
前記請求項１乃至請求項６に記載のアジャスターを備えたチェーン状装身具であって、
両端を自由端としたチェーン（２）の一端を前記フレーム（４）に連結するとともに、前記チェーン（２）の他端で前記フレーム（４）を貫通することで構成され、
前記係止部（５）の内周側によって前記チェーン（２）を付勢可能な形態において、前記チェーン（２）で前記チェーン貫通孔（５０１）を貫通した、ことを特徴とするチェーン状装身具。
【発明の詳細な説明】
【技術分野】
【０００１】
本発明は、ネックレス、ブレスレット等のチェーン状装身具に用いるアジャスター及びそれを用いたチェーン状装身具に係り、より詳しくは、長期間の使用によっても、またこれを身に付けた状態で入浴等をした場合であってもその調整機能が損なわれることのないアジャスター及びそれを用いたチェーン状装身具に関する。
【背景技術】
【０００２】
一般的に、ネックレス、ブレスレット等のチェーン状装身具では、これを構成するチェーンは無端状となっており、その長さを調整することは不可能とされているが、近年、使い勝手等の利便性を目的として、アジャスターを用いてチェーンの長さを自在に調整可能としたものが提供されてきている。
【０００３】
ここで、図８は、チェーン径を自在に調整可能としたチェーン状装身具３１を説明するための図であり、アジャスター近傍を示している。そして、図において３２はチェーンであり、このチェーン状装身具３１では、前記チェーン３２が移動自在に貫通したアジャスター３４を備えており、このアジャスター３４には前記チェーン３２の他端が連結されている。
【０００４】
そして、前記アジャスター３４内にはシリコンゴム等の弾性体３５が挿入されているとともに、この弾性体３５にチェーン３２の直径よりも僅かに小径の貫通孔３６を形成し、この貫通孔３６にチェーン３２を挿通するとともにチェーン３２の先端に抜け防止手段３７を連結し、これにより、シリコンゴムの弾性力を利用し、チェーン３２を任意の位置で係止可能としている。
【０００５】
そのため、このチェーン状装身具３１では、チェーン３２の径を自在に調整することが可能であるとともに、シリコンゴムの弾性力により、チェーン３２の長さを所望する寸法で係止可能となる。
【特許文献１】登録実用新案第３０６３８９１号公報
【発明の開示】
【発明が解決しようとする課題】
【０００６】
しかしながら、シリコンゴムの弾性力を利用してチェーンを係止可能とした場合には、長期間の経過によって、シリコンゴムが磨耗するとともに弾性力も衰えてくるために、アジャスターとしての機能を十分に発揮できなくなるおそれが考えられる。
【０００７】
また、チェーン状装身具を身につけた状態で入浴等をした場合には、シリコンゴムの収縮等によりチェーンの径が変わってしまうおそれも十分に考えられる。
【０００８】
そしてこのことは、シリコンゴムに限らず、その他、合成樹脂等を用いてチェーンを係止する構造にした場合も同様である。
【０００９】
そこで、本発明は、長期間の使用によっても、またこれを身に付けた状態で入浴等をした場合であっても機能が損なわれることのないアジャスター及びそれを用いたチェーン状装身具を提供することを課題としている。
【課題を解決するための手段】
【００１０】
本発明のチェーン状装身具に用いるアジャスターは、チェーン状装身具に用いるアジャスターであって、チェーンの一端が連結される連結部を有するとともに前記チェーンの他端が移動自在に貫通する一対の貫通孔を有するフレームと、このフレーム内に配設された、コイル状のバネ材の両端を連結することでチェーン貫通孔を形成した略リング状の係止部とを備え、前記係止部の内周側によって、前記フレームを貫通したチェーンを付勢可能としたことを特徴としている。
【００１１】
また、このアジャスターを用いた本発明のチェーン状装身具は、両端を自由端としたチェーンの一端を前記フレームに連結するとともに、前記チェーンの他端で前記フレームを貫通することで構成され、前記係止部の内周側によって前記チェーンを付勢可能な形態において、チェーンで前記チェーン貫通孔を貫通させた、ことを特徴としている。
【発明の効果】
【００１２】
本発明では、コイル状のバネ材の両端を連結することで構成される略リング状の係止部をフレーム内に配設しており、チェーンで係止部を貫通することで係止部の内周側によってチェーンを付勢し、これによって、チェーンと係止部の摺動抵抗を利用してチェーンを任意の位置でフレームに係止可能としている。
【００１３】
そのため、本発明によれば、長期間の使用によっても、またこれを身に付けた状態で入浴等をした場合でも、アジャスター機能が損なわれることを防止することが可能である。
【発明を実施するための最良の形態】
【００１４】
本発明のチェーン状装身具に用いるアジャスターは、フレームを有しており、このフレームは、チェーンの一端が連結される連結部と、チェーンの他端が移動自在に貫通する一対の貫通孔を有している。
【００１５】
また、フレーム内には、コイル状のバネ材の両端を連結することでチェーン貫通孔が形成された略リング状の係止部が配設されている。
【００１６】
そして、本発明のチェーン状装身具は、両端を自由端としたチェーンの一端を前記連結部に連結するとともに、チェーンの他端で前記フレームを貫通することにより構成されており、フレーム内において、前記チェーンは、係止部の内周側によって付勢されるようにしてチェーン貫通孔を貫通している。
【００１７】
ここで、前記係止部を形成するバネ材としては、金属製、炭素繊維製、合成樹脂製等が考えられる。
【００１８】
また、バネ材は、その長手方向に沿った形状が略円形状のもの、扁平な略楕円形状のものが考えられる。
【実施例１】
【００１９】
本発明のチェーン状装身具の実施例について図面を参照して説明すると、図１は本実施例のチェーン状装身具の正面図であり、本実施例では、ダイヤモンドを備えたペンダントが係止されたネックレスとしている。
【００２０】
即ち、図において１が本実施例のネックレスであり、このネックレス１は両端が自由端とされたチェーン２を有しており、このチェーン２の任意の箇所には、３個のダイヤモンドを備えたペンダント７が係止されている。
【００２１】
次に、図において３はアジャスターであり、即ち、本実施例のネックレス１では、アジャスター３を介してチェーン２を無端状にするとともに、チェーン２の径を自在に調整可能としている。
【００２２】
ここで、前記アジャスター３について説明すると、図２は前記アジャスター３を説明するための一部断面図であり、図において４は、アジャスター３を構成するフレームである。即ち、本実施例において前記アジャスター３は、球状かつ中空のフレーム４を有しており、このフレーム４における互いに対向する箇所には貫通孔４０１が形成されており、前記チェーン２の他端側は、この一対の貫通孔４０１を介してフレーム４を貫通している。
【００２３】
また、前記アジャスター３の外側面には、図１に示すように、環体４０２を介して、チェーン２の一端が連結される連結部としての引輪４０３が連結されており、一方、前記チェーン２の一端部には留め具２０１が備えられ、この留め具２０１が前記アジャスター３に備えた引き輪４０３に連結され、これにより、アジャスター３を介して、前記チェーン２は無端とされている。
【００２４】
なお、図において８は、チェーン２の他端に連結した抜け防止手段であり、この抜け防止手段８は、前記貫通孔４０１の外周よりも大きめの直径としており、これにより、チェーン２がアジャスター３より抜け出てしまうことを防止している。
【００２５】
次に、図２において５は係止部である。即ち、本実施例におけるアジャスター３では、前記フレーム４内に係止部５を配設し、この係止部５によって、フレーム４を貫通したチェーン２の移動に制限を加えている。
【００２６】
ここで、前記係止部５について説明すると、図４は本実施例における前記係止部５を示す斜視図であり、本実施例において前記係止部５は、ステンレス製のコイル状のバネ材６の両端を連結することで形成されており、内周側にチェーン貫通孔５０１が形成された略リング状とされている。
【００２７】
そして、本実施例においては、この係止部５を前記フレーム４内において、チェーン貫通孔５０１をチェーン２が貫通可能な配置で配設しており、更に、バネ材の長さ等を調節して、チェーン貫通孔５０１をチェーン２が貫通した際に、係止部５の内周側によって係止部５を貫通したチェーン２を付勢可能としており、これにより、チェーン２に対して、その長手方向への移動に摺動抵抗を加えている。この状態を示した断面図が図３であり、図３は、チェーン２の長手方向に見た状態における係止部５とチェーン２の関係を示した断面図としている。また、図５（ａ）は、本実施例におけるコイル状のバネ材６を長手方向に見た図であり、（ｂ）は、係止部５の内周側によってチェーン２を付勢している状態を示す断面図である。
【００２８】
このように、本実施例のアジャスター３では、コイル状のバネ材６の両端を連結することにより形成した略リング状の係止部５を用いて、この係止部５の内周側でチェーンを付勢するようにして、チェーン２で係止部５を貫通しているために、係止部５の内周側とチェーン２との摺動抵抗によってチェーン２の長手方向への移動に制限を加えることができ、これによりチェーン２の径を自在にすることができる。
【００２９】
またそのとき、本実施例においては、コイル状のバネ材を用いて係止部５を形成しているために、シリコンゴム等を用いてアジャスター内にチェーンを係止している従来のネックレスと異なり、長期間の使用によっても、また入浴等をした場合でも、アジャスターの機能が落ちることが無いという利点が考えられる。
【００３０】
なお、前述したように、本実施例において前記バネ材６はステンレス製としているが、必ずしもステンレス製にする必要は無く、その他の金属を用いてバネ材６を形成してもよい。また、必ずしも金属製にする必要も無く、その他、例えば、炭素繊維性、合成樹脂製のバネ材を用いてもよく、バネとして機能可能な素材であればいずれの素材を用いてもよい。
【００３１】
また、一般的にコイル状のバネ材は、図５（ａ）に示すように、長手方向に見た形状が略円形状であるが、本発明では、必ずしもこのようなコイル状のバネ材を用いる必要はない。例えば、図６（ａ）（Ｂ）に示すように、長手方向に見た形状が扁平な横長の略楕円形状のコイル状バネ材６を用いて係止部５を形成してもよく、あるいは、図７（ａ）（ｂ）に示すように、長手方向に見た形状が扁平な縦長の略楕円形状のコイル状バネ材６を用いて係止部５を形成してもよい。
【００３２】
次に、このように構成される本実施例のネックレス１の作用について説明すると、本実施例のネックレス１においてチェーン２の径を変更する場合には、フレーム４を、例えば指等でつかんだ状態で、アジャスター３を境にして、チェーン２を、抜け防止手段８側、あるいは反抜け防止手段側に引っ張る。そうすると、チェーン２は、係止部４の内周側と摺動しつつその長手方向へ移動し、それによりチェーン２の径を調整することが可能となる。
【００３３】
そして、チェーン２に加えていた力を解除すると、チェーン２に対する係止部４の内周側による付勢力が作用してチェーン２の位置が固定され、これによりチェーン２を所望の径で維持することが可能となる。
【００３４】
そしてこのとき、本実施例においては、コイル状のバネ材を用いて係止部５を形成しているために、シリコンゴム等を用いてアジャスター内にチェーンを係止している従来のネックレスと異なり、長期間の使用によっても、また入浴等をした場合でも、アジャスターの機能が落ちることが無いという利点が考えられる。
【産業上の利用可能性】
【００３５】
本発明は、コイル状のバネ材の両端を連結することにより構成される略リング状の係止部をフレーム内に配設し、チェーンで係止部を貫通することで係止部の内周側によってチェーンを付勢して、これによって、チェーンと係止部の摺動抵抗を利用してチェーンを任意の位置でフレームに係止可能としているため、ネックレスに限らず、ブレスレット等、チェーンを用いたチェーン状装身具の全般に適用可能である。
【図面の簡単な説明】
【００３６】
【図１】本発明のチェーン状装身具の実施例の正面図である。
【図２】アジャスターを説明するための一部断面図である。
【図３】係止部を説明するための断面図である。
【図４】係止部を説明するための斜視図である。
【図５】係止部を説明するための図である。
【図６】係止部の他の形態を説明するための図である。
【図７】係止部の他の形態を説明するための図である。
【図８】従来のアジャスターを説明するための図である。
【符号の説明】
【００３７】
１    ネックレス
２    チェーン
２０１    留め具
３    アジャスター
４    フレーム
４０１    貫通孔
４０２    環体
４０３    引き輪
５    係止部
５０１    チェーン貫通孔
６    コイル状のバネ材
７    ペンダント
８    抜け防止手段
【図１】
2006325647.tif 000003
【図２】
2006325647.tif 000004
【図３】
2006325647.tif 000005
【図４】
2006325647.tif 000006
【図５】
2006325647.tif 000007
【図６】
2006325647.tif 000008
【図７】
2006325647.tif 000009
【図８】
2006325647.tif 000010